(57)【要約】【課題】キャビネットの内部に背中合わせの姿勢で配備された２つの液晶表示装置の強度を大きく低下させることなく、キャビネットの薄型化を図ることが可能な携帯型電子機器を提供する。【解決手段】本発明に係る携帯型電子機器において、メイン液晶表示装置４０とサブ液晶表示装置５０はそれぞれ、液晶パネル４１、５１と、断面楔状の導光板４５、５５と、該導光板４５、５５の端面に向けて配備されたＬＥＤ４３、５３と、ＬＥＤ４３、５３からの光を導光板４５、５５内へ拡散反射させる拡散反射シート４６、５６とを具え、メイン導光板４５とサブ導光板５５の厚さの増大する方向が互いに逆向きとなる姿勢で、両液晶表示装置４０、５０がホルダー６に保持され、蓋体キャビネット２の内部に積層配備されている。【選択図】      図６
2004193696.tif 000002
【特許請求の範囲】
【請求項１】
扁平なキャビネットの内部に、第１液晶表示装置と第２液晶表示装置が背中合わせの姿勢で配備され、両液晶表示装置の間に介在するホルダーによって保持されており、両液晶表示装置の画面がキャビネットの両面に露出している携帯型電子機器において、第１液晶表示装置と第２液晶表示装置はそれぞれ、液晶パネルと、該液晶パネルの背面側に配備されてバックライトとなる断面楔状の導光板と、該導光板の端面に向けて配備された光源と、前記導光板の背面を覆って配備され前記光源からの光を前記導光板内へ反射させる反射層とを具え、第１液晶表示装置の導光板と第２液晶表示装置の導光板は、厚さの増大する方向が互いに逆向きとなるように配備されていることを特徴とする携帯型電子機器。
【請求項２】
第１液晶表示装置の導光板と第２液晶表示装置の導光板は、厚さの変化率が互いに同一若しくは略同一であって、前記ホルダーに保持された状態で、両導光板の液晶パネルとの対向面が互いに平行を為している請求項１に記載の携帯型電子機器。
【請求項３】
第１液晶表示装置及び第２液晶表示装置は、それぞれの光源が、導光板の厚さが最大となる端面に向けて配備されている請求項１又は請求項２に記載の携帯型電子機器。
【発明の詳細な説明】
【０００１】
【発明の属する技術分野】
本発明は、折り畳み式携帯電話機の如く、扁平なキャビネットの両面に表示画面を配置した携帯型電子機器に関するものである。
【０００２】
【従来の技術】
従来、本体キャビネットと蓋体キャビネットとがヒンジ機構を介して互いに開閉可能に連結されている折り畳み式携帯電話機において、蓋体キャビネットの開閉に拘わらず着信時の表示を可能とするために、蓋体キャビネットの表面と背面の両面に表示装置の画面を配置したものが知られている。このような折り畳み式携帯電話機においても、近年は、キャビネットの更なる小型化、薄型化が要求されている。
【０００３】
従来の折り畳み式携帯電話機においては、例えば図７に示す如く、蓋体キャビネット（２）の内部に、蓋体キャビネット（２）の表面にメイン画面（４）を露出させたメイン液晶表示装置（４０）と、蓋体キャビネット（２）の背面にサブ画面（５）を露出させたサブ液晶表示装置（５０）と、両液晶表示装置（４０）（５０）を保持する金属製のホルダー（６）が配備されている。
【０００４】
メイン液晶表示装置（４０）は、前記メイン画面（４）を有するメイン液晶パネル（４１）と、該メイン液晶パネル（４１）の背面側に配備されてバックライトとなる平板状のメイン導光板（４９）と、該メイン導光板（４９）の端面に向けて配備されたメインＬＥＤ（４３）と、メイン導光板（４９）とホルダー（６）との間に介在してメインＬＥＤ（４３）からの光をメイン導光板（４９）内へ拡散反射させるメイン拡散反射シート（４６）とを具えている。
同様にサブ液晶表示装置（５０）は、前記サブ画面（５）を有するサブ液晶パネル（５１）と、該サブ液晶パネル（５１）の背面側に配備されてバックライトとなる平板状のサブ導光板（５９）と、該サブ導光板（５９）の端面に向けて配備されたサブＬＥＤ（５３）と、サブ導光板（５９）とホルダー（６）との間に介在してサブＬＥＤ（５３）からの光をサブ導光板（５９）内へ拡散反射させるサブ拡散反射シート（５６）とを具えている。
【０００５】
尚、折り畳み式携帯電話機においては、メイン液晶表示装置（４０）のメイン画面（４）のみならず、サブ液晶表示装置（５０）のサブ画面（５）も大型化しているため、図７の如く蓋体キャビネット（２）の内部には、両液晶表示装置（４０）（５０）が互いに背中合わせの位置関係に配備されることになる（例えば特許文献１参照）。
【０００６】
【特許文献１】
特開２００１−２１７７４０号公報
【０００７】
【発明が解決しようとする課題】
しかしながら、従来の折り畳み式携帯電話機においては、両表示画面（４）（５）の大型化に伴って両液晶表示装置（４０）（５０）を蓋体キャビネット（２）の厚さ方向に積層配備しているので、両液晶表示装置（４０）（５０）を蓋体キャビネット（２）の長手方向に並列配置したものと比較して、蓋体キャビネット（２）の厚さが増大し、これによって折り畳み式携帯電話機全体が大型化する問題があった。
【０００８】
蓋体キャビネット（２）の薄型化を図るためには、両液晶表示装置（４０）（５０）の導光板（４９）（５９）を薄く形成することが有効であるが、この場合、該導光板（４９）（５９）はガラスなどの極めて割れやすい材料で作製されているので、強度が大きく低下し、液晶パネルの表面に大きな外力が作用すると、両導光板（４９）（５９）が割れてしまう虞がある。
【０００９】
そこで本発明の目的は、キャビネットの内部に２つの液晶表示装置を積層配備した携帯型電子機器において、両液晶表示装置の強度を大きく低下させることなく、キャビネットの薄型化を図ることである。
【００１０】
【課題を解決する為の手段】
上記本発明の携帯型電子機器においては、扁平なキャビネットの内部に、第１液晶表示装置と第２液晶表示装置が背中合わせの姿勢で配備され、両液晶表示装置の間に介在するホルダーによって保持されており、両液晶表示装置の画面がキャビネットの両面に露出している。
第１液晶表示装置と第２液晶表示装置はそれぞれ、液晶パネルと、該液晶パネルの背面側に配備されてバックライトとなる断面楔状の導光板と、該導光板の端面に向けて配備された光源と、前記導光板の背面を覆って配備され前記光源からの光を前記導光板内へ反射させる反射層とを具え、第１液晶表示装置の導光板と第２液晶表示装置の導光板は、厚さの増大する方向が互いに逆向きとなるように配備されている。
【００１１】
上記本発明の携帯型電子機器においては、第１液晶表示装置の導光板の最大厚さが従来の平板状の導光板の厚さと同程度に形成されると共に、第２液晶表示装置の導光板の最大厚さが従来の平板状の導光板の厚さと同程度に形成される。ここで、第１液晶表示装置と第２液晶表示装置とは、第１液晶表示装置の導光板の厚さの大きな部分と、第２液晶表示装置の導光板の厚さの小さな部分とが互いに対向すると共に、第１液晶表示装置の導光板の厚さの小さな部分と、第２液晶表示装置の導光板の厚さの大きな部分とが互いに対向して、積層配備されることになるので、ホルダーによって保持された両液晶表示装置の全体の厚さは、従来の平板状の導光板を具えた２つの液晶表示装置を積層配備した構成に比べて、両導光板の断面楔状による厚さの減少分だけ薄くなる。この結果、キャビネットを従来よりも薄型化することが出来る。
【００１２】
又、両液晶表示装置の導光板を断面楔状に形成すると共に、導光板の最大厚さを従来の平板状の導光板の厚さと同等に保つことによって、導光板の厚さの大きな部分では、従来の平板状の導光板と同等の強度が維持され、導光板が最小厚さとなる端部で強度が低下するに過ぎないので、ホルダーによって保持された両導光板の全体の強度が大きく低下することはない。
【００１３】
具体的構成において、第１液晶表示装置の導光板と第２液晶表示装置の導光板は、厚さの変化率が互いに同一若しくは略同一であって、前記ホルダーに保持された状態で、両導光板の液晶パネルとの対向面が互いに平行を為している。
該具体的構成によれば、両導光板の液晶パネルとの対向面が互いに平行を為しているので、該対向面にそれぞれ液晶パネルを設置することによって、両液晶パネルは互いに平行となり、これによって、両液晶表示装置を収容すべきキャビネットを厚さ方向に一様に薄型化することが出来る。
【００１４】
更に具体的な構成においては、第１液晶表示装置及び第２液晶表示装置は、それぞれの光源が、導光板の厚さが最大となる端面に向けて配備されている。
該具体的構成においては、従来と同様に光源が各液晶表示装置の導光板の前記端面の厚さの範囲内に収容されることになるので、導光板を楔状に形成することによる薄型化の効果が、光源の大きさによって損なわれることはない。又、光源からの光の大部分が導光板の前記端面から導光板の内部へ入射するので、バックライトの光量が減少することはない。
【００１５】
【発明の効果】
本発明に係る携帯型電子機器によれば、キャビネットの内部に収容された第１液晶表示装置及び第２液晶表示装置の強度を大きく低下させることなく、キャビネットの薄型化を図ることが出来る。
【００１６】
【発明の実施の形態】
以下、本発明を折り畳み式携帯電話機に実施した形態につき、図面に沿って具体的に説明する。
本発明に係る折り畳み式携帯電話機は、図１に示す如く、本体キャビネット（１）に蓋体キャビネット（２）がヒンジ機構（３）を介して開閉可能に連結して構成されている。本体キャビネット（１）の前面には、複数の操作キー（１１）が配列されると共に、該操作キー（１１）の下方には送話部（１２）が設けられている。又、蓋体キャビネット（２）の前面には、メイン画面（４）が配置されると共に、該メイン画面（４）の上方には受話部（２１）が設けられている。
【００１７】
又、図２に示す如く、本体キャビネット（１）の背面には、電池蓋（１４）が取り付けられており、該電池蓋（１４）とヒンジ機構（３）との間にはスピーカ放音部（１３）が形成されている。又、蓋体キャビネット（２）の背面には、サブ画面（５）が配置されると共に、該サブ画面（５）の近傍にはＣＣＤカメラ（２２）が配備されている。
【００１８】
前記のメイン画面（４）及びサブ画面（５）はそれぞれ、図３及び図４に示す如く、金属ホルダー（６）に固定されたメイン液晶表示装置（４０）及びサブ液晶表示装置（５０）の表示面によって形成されている。
【００１９】
図５に示す如く、メイン液晶表示装置（４０）は、蓋体キャビネット（２）の前面にメイン画面（４）を露出させて、蓋体キャビネット（２）の内部に配備され、サブ液晶表示装置（５０）は、蓋体キャビネット（２）の背面にサブ画面（５）を露出させて、蓋体キャビネット（２）の内部に配備されており、両液晶表示装置（４０）（５０）は、金属製のホルダー（６）により保持された状態で、蓋体キャビネット（２）の厚さ方向に積層されている。
【００２０】
メイン液晶表示装置（４０）は、メイン画面（４）を有するメイン液晶パネル（４１）と、該メイン液晶パネル（４１）の背面側に配備されてバックライトとなる断面楔状のメイン導光板（４５）と、該メイン導光板（４５）の厚さの大きい方の端面に向けて配備されたメインＬＥＤ（４３）と、メイン導光板（４５）とホルダー（６）との間に介在してメインＬＥＤ（４３）からの光をメイン導光板（４５）内へ拡散反射させるメイン拡散反射シート（４６）とを具えている。
同様にサブ液晶表示装置（５０）は、前記サブ画面（５）を有するサブ液晶パネル（５１）と、該サブ液晶パネル（５１）の背面側に配備されてバックライトとなる断面楔状のサブ導光板（５５）と、該サブ導光板の厚さの大きい方の端面に向けて配備されたサブＬＥＤ（５３）と、サブ導光板（５５）とホルダー（６）との間に介在してサブＬＥＤ（５３）からの光をサブ導光板（５５）内へ拡散反射させるサブ拡散反射シート（５６）とを具えている。
【００２１】
メイン液晶表示装置（４０）のメイン導光板（４５）とサブ液晶表示装置（５０）のサブ導光板（５５）とは、厚さの変化率が互いに同一の断面楔状に形成されており、メイン導光板（４５）とサブ導光板（５５）は、厚さの増大する方向が互いに逆向きとなる配置関係でホルダー（６）に固定されている。従って、両導光板（４５）（５５）の液晶パネル（４１）（５１）との対向面は互いに平行を為すことになる。
尚、ホルダー（６）は、両液晶表示装置（４０）（５０）の間に介在する平板部が両画面（４）（５）に対して導光板（４５）（５５）の断面形状に応じた傾斜角度を有しており、これによって、両導光板（４５）（５５）は、ホルダー（６）の前記平板部によって確実に受け止められ、外力の作用に対して十分な強度を発揮する。
【００２２】
図６中に矢印で示すように、メイン液晶表示装置（４０）においては、メインＬＥＤ（４３）から発せられた光は、メイン導光板（４５）の最大厚さを有する端面からメイン導光板（４５）の内部へ入射した後、メイン導光板（４５）の内部で拡散反射を繰り返して、メイン導光板（４５）の最小厚さを有する端部に達することになり、その過程で、メイン導光板（４５）の表面全域からメイン液晶パネル（４１）へ向けて出射される。これによって、メイン液晶パネル（４１）が背面から均一に照射されることになる。
【００２３】
サブ液晶表示装置（５０）においても同様に、サブＬＥＤ（５３）から発せられた光が、サブ導光板（５５）の内部へ入射して、拡散反射を繰り返し、その過程で、サブ導光板（５５）の表面全体からサブ液晶パネル（５１）へ向けて出射される。これによって、サブ液晶パネル（５１）が背面から均一に照射されることになる。
【００２４】
上記本発明の折り畳み式携帯電話機においては、メイン液晶表示装置（４０）のメイン導光板（４５）の最大厚さが従来の平板状の導光板の厚さと同程度に形成されると共に、サブ液晶表示装置（５０）のサブ導光板（５５）の最大厚さが従来の平板状の導光板の厚さと同程度に形成される。
ここで、メイン液晶表示装置（４０）とサブ液晶表示装置（５０）とは、図５に示す如く、メイン導光板（４５）の厚さの大きな部分と、サブ導光板（５５）の厚さの小さな部分とが互いに対向すると共に、メイン導光板（４５）の厚さの小さな部分と、サブ導光板（５５）の厚さの大きな部分とが互いに対向しているので、ホルダー（６）によって保持された両液晶表示装置（４０）（５０）の全体の厚さは、従来の平板状の導光板を具えた２つの液晶表示装置を積層配備した構成に比べて、両導光板（４５）（５５）の断面楔状による厚さの減少分だけ薄くなる。この結果、蓋体キャビネット（２）を従来よりも薄型化することが出来る。
【００２５】
又、両液晶表示装置（４０）（５０）の導光板（４５）（５５）の最大厚さが従来の平板状の導光板の厚さと同等に形成されているので、導光板（４５）（５５）の厚さの大きな部分では、従来の平板状の導光板と同等の強度が維持され、導光板（４５）（５５）が最小厚さとなる端部で強度が低下するに過ぎない。従って、ホルダー（６）によって保持された両導光板（４５）（５５）の全体の強度が大きく低下することはない。
この結果、蓋体キャビネット（２）の内部に収容されたメイン液晶表示装置（４０）及びサブ液晶表示装置（５０）の強度を大きく低下させることなく、蓋体キャビネット（２）の薄型化を図ることが出来る。
【００２６】
又、上記本発明の折り畳み式携帯電話機においては、両導光板（４５）（５５）の液晶パネル（４１）（５１）との対向面が互いに平行を為しているので、両液晶パネル（４１）（５１）は互いに平行となり、これによって、両液晶表示装置（４０）（５０）を収容している蓋体キャビネット（２）を厚さ方向に一様に薄型化することが出来る。
【００２７】
更に上記本発明の折り畳み式携帯電話機においては、メイン液晶表示装置（４０）のメインＬＥＤ（４３）がメイン導光板（４５）の端面の厚さの範囲内に収容されると共に、サブ液晶表示装置（５０）のサブＬＥＤ（５３）がサブ導光板（５５）の端面の厚さの範囲内に収容されているので、メインＬＥＤ（４３）及びサブＬＥＤ（５３）の配置によって蓋体キャビネット（２）の厚さが大きくなることはない。
又、メインＬＥＤ（４３）及びサブＬＥＤ（５３）からの光の大部分がそれぞれメイン（４５）導光板およびサブ導光板（５５）の内部へ入射するので、十分な光量が得られる。
【図面の簡単な説明】
【図１】本発明に係る折り畳み式携帯電話機の斜視図である。
【図２】該折り畳み式携帯電話機を裏返して示す斜視図である。
【図３】蓋体キャビネットに内蔵された液晶表示装置全体の斜視図である。
【図４】該液晶表示装置全体を裏返して示す斜視図である。
【図５】キャビネット内部にメイン液晶表示装置とサブ液晶表示装置とが積層配備された状態を示す断面図である。
【図６】ＬＥＤからの光が液晶表示パネルの方向に出射される様子を示す断面図である。
【図７】従来の折り畳み式携帯電話機のキャビネット内部にメイン液晶表示装置とサブ液晶表示装置とが積層配備された状態を示す断面図である。
【符号の説明】
（１）  本体キャビネット
（２）  蓋体キャビネット
（３）  ヒンジ機構
（４）  メイン画面
（４０）  メイン液晶表示装置
（４１）  メイン液晶パネル
（４３）  メインＬＥＤ
（４５）  メイン導光板
（４６）  メイン拡散反射シート
（５）  サブ画面
（５０）  サブ液晶表示装置
（５１）  サブ液晶パネル
（５３）  サブＬＥＤ
（５５）  サブ導光板
（５６）  サブ拡散反射シート
（６）  ホルダー
【図１】
2004193696.tif 000003
【図２】
2004193696.tif 000004
【図３】
2004193696.tif 000005
【図４】
2004193696.tif 000006
【図５】
2004193696.tif 000007
【図６】
2004193696.tif 000008
【図７】
2004193696.tif 000009